(57)【特許請求の範囲】
【請求項１】
横枠および縦枠によって枠組みされた開口枠のパネル嵌合溝にパネルを取付けるに当たり、パネルの室内側および室外側の少なくとも一方側において、横枠および縦枠にそれぞれガスケットを支持するための条溝を形成するとともに、この条溝にガスケットの背面に形成された取付け脚部を嵌着し、パネルの周りを前記ガスケットによって支持するようにしたパネル支持構造において、
前記横枠と縦枠との交差部において、一方の条溝の側壁を切り欠くことなくガスケットを支持する前記条溝を不連続のままとし、少なくとも前記条溝交差部において条溝を不連続としている側壁に対応するガスケットの取付け脚部分が切り落とされるとともに、縦枠の条溝と横枠の条溝とに跨るコーナー部ガスケットを配設し、このコーナー部ガスケットの端面に連続して直線状のガスケットを配設したことを特徴とするパネル周りを支持するガスケットの取付け構造。
【請求項２】
前記コーナー部ガスケットは、縦枠方向および横枠方向共に、コーナー端部から略同じ長さでガスケットの取付け脚部分が切り落とされ、いずれのコーナー部においても供用可能とされる請求項１記載のパネル周りを支持するガスケットの取付け構造。
【発明の詳細な説明】
【０００１】
【発明の属する技術分野】
本発明は、横枠および縦枠によって枠組みされた開口枠のパネル嵌合溝内にパネルを取り付けるに当たり、前記パネル周りを室内側および／または室外側に配設されたガスケットにより支持するようにしたパネル支持構造における前記ガスケットの取付け構造に関する。
【０００２】
【従来の技術】
従来より、建物等の壁面を構成するためのカーテンウォール工法においては、ノックダウン工法およびユニット工法の別を問わず、上枠、下枠、左右縦枠によって枠状に枠組みされた開口枠のパネル嵌合溝にガラスなどのパネルを取り付けるようにしている。
【０００３】
前記開口枠に対してパネルを取付けるに当たっては、たとえば図１０に示されるように、縦枠７０Ａ、７０Ｂおよび横枠７１の周囲に亘って凹状のガラス嵌合溝Ｍを形成し、ガラス嵌合溝Ｍの一方側壁面部分にガスケット７４を配設した後、パネルＰを設置し、次いでパネルＰの他方側面においてパネルＰとの間にバックアップ材７２を挿入するとともに、シール材７３を充填するようにしている。
【０００４】
通常、前記ガラス嵌合溝Ｍ内にガスケット７４を取り付けるには、縦枠７０Ａ、７０Ｂに条溝７０ａを形成するとともに、横枠７１に条溝７１ａを形成し、ガスケット７４の背面部に一体的に設けてある取付け脚部７４ａを嵌着して取り付けるようにしているが、縦枠７０Ａ、７０Ｂおよび横枠７１の交差部では、図１１に示されるように、縦枠７０の条溝７０ａと横枠７１の条溝７１ａとが交差する一方側の条溝側壁部７５を切り欠き、条溝７０ａ、７１ａをＬ字状に連続させ、前記ガスケット７４をＬ字条溝に沿って連続して配設するようにしている。
【０００５】
【発明が解決しようとする課題】
しかしながら、縦枠７０Ａ、７０Ｂおよび横枠７１の交差部において、前述のように、条溝７０ａ、７１ａをＬ字状に連続させるために一方側（横方向）の条溝側壁部７５を切り欠くには、多くの加工手間が掛かるとともに、ガスケット７４がある程度以上の幅を有する場合には、Ｌ字状に屈曲させて配置することが困難であるか若しくは不可能であるため、使用するガスケット７４の断面形状に自ずと制約を受けるなどの問題があった。
【０００６】
そこで本発明の主たる課題は、縦枠の条溝と横枠の条溝との交差部において、一方側の条溝側壁の切欠き加工を不要とするとともに、使用するガスケットの断面形状によらず設置可能としたパネル周りのガスケットの取付け構造を提供することにある。
【０００７】
【課題を解決するための手段】
前記課題を解決するための本発明は、横枠および縦枠によって枠組みされた開口枠のパネル嵌合溝にパネルを取付けるに当たり、パネルの室内側および室外側の少なくとも一方側において、横枠および縦枠にそれぞれガスケットを支持するための条溝を形成するとともに、この条溝にガスケットの背面に形成された取付け脚部を嵌着し、パネルの周りを前記ガスケットによって支持するようにしたパネル支持構造において、
前記横枠と縦枠との交差部において、一方の条溝の側壁を切り欠くことなくガスケットを支持する前記条溝を不連続のままとし、少なくとも前記条溝交差部において条溝を不連続としている側壁に対応するガスケットの取付け脚部分が切り落とされるとともに、縦枠の条溝と横枠の条溝とに跨るコーナー部ガスケットを配設し、このコーナー部ガスケットの端面に連続して直線状のガスケットを配設したことを特徴とするものである。
【０００８】
この場合において、前記コーナー部ガスケットは、縦枠方向および横枠方向共に、コーナー端部から略同じ長さでガスケットの取付け脚部分が切り落とされ、いずれのコーナー部においても供用可能とするのが望ましい。
【０００９】
【発明の実施の形態】
以下、本発明の実施の形態について図面を参照しながら詳述する。
【００１０】
図１は本発明に係るユニット式カーテンウォールの正面図、図２は図１のII−II線矢視図、図３は図１のIII−III線矢視図、図４は図１のIV−IV線矢視図である。
【００１１】
本パネル周りのガスケットの取付け構造は、予め四周を縦枠（分割方立を含む場合もあり。）および横枠からなる枠材にパネルを組み込んだユニットを順に取り付けるユニット工法、および施工場所において躯体に方立を取り付けたならば、これら方立間に無目を架け渡し開口枠を形成した後、各開口部にパネルを取付ける手順によるノックダウン工法の別を問わず、いずれのカーテンウォール工法にも適用可能である。
【００１２】
以下、ユニット式カーテンウォールの内、フルユニット方式スプリットマリオン工法の例により、本ガスケットの取付け構造について詳述することとする。
【００１３】
前記フルユニット方式スプリットマリオン工法に係るカーテンウォール構造は、図２〜図４に示されるように、方立を左右に分割構造とし、分割方立１３Ａ、１３Ｂを一体的に備える縦枠３Ａ、３Ｂ、上・下横枠４Ａ、４Ｂおよび図示の例では中間横枠５を含んで枠状部材を構成するとともに、この枠状部材の室外面側に縦押縁６Ａ、６Ｂおよび横押縁７Ａ、７Ｂを取付け、ガラスＧ、Ｇ（複層ガラス）を嵌め込んだパネルユニットＵを、建物躯体（床）の端部に固定された方立支持金具に順に取り付けるようにした構造のカーテンウォールである。
【００１４】
以下、具体的に詳述すると、
前記方立１３は、左右対の分割方立１３Ａ、１３Ｂからなり、左右の関係で組み合わされ一体を成すもので、一方側の分割方立１３Ａは、略方形状の中空断面を成し、対向面の室内側寄り位置には凹部１３ａが形成されているとともに、室外側の面には部材長手方向に沿って板状突片１３ｂ、Ｌ字状突片１３ｃが夫々形成されている。他方の分割方立１３Ｂも同様に、略方形状の中空断面を成し、対向面の室内側寄り位置には突片１３ｄが形成され、室外側の面には部材長手方向に沿って板状突片１３ｆ、Ｌ字状突片１３ｅが夫々形成されている。
【００１５】
前記分割方立１３Ａを縦枠３Ａの室内側面に一体的に組み付けるには、前記分割方立１３Ａの室外側面に形成されたＬ字状突片１３ｃを縦枠３Ａの室内側面に形成された断面Ｌ字状係止片２６ａに係止するとともに、分割方立１３Ａの室外側面に形成された板状突片１３ｂを縦枠３Ａの室内側面に形成された板状突片２７ａと重ね合わせ、両者を貫通する連結リベット４３，４３…によって連結を図る。この連結部には縦方向に沿ってカバー材４８が取り付けられる。
【００１６】
一方の分割方立１３Ｂを縦枠３Ｂの室内側面に一体的に組み付ける場合も同様に、前記分割方立１３Ｂの室外側面に形成されたＬ字状突片１３ｅを縦枠３Ｂの室内側面に形成された断面Ｌ字状係止片２６ｂに係止するとともに、分割方立１３Ｂの室外側面に形成された板状突片１３ｆを縦枠３Ｂの室内側面に形成された板状突片２７ｂと重ね合わせ、両者を貫通する連結リベット４３，４３…によって連結を図る。この連結部にも縦方向に沿ってカバー材４８が取り付けられる。
【００１７】
前記パネルユニットＵを構成する縦枠３Ａ、３Ｂの内、一方の縦枠３Ａは図２に示されるように、略方形断面の縦枠本体の室外側面において、その内方側にガスケット支持用リップ条溝２０ａが形成されたガラス支持部２０を備えるとともに、外方側に室外側に延在する押縁取付け片２１を備え、かつ外側見込み面にはウインドバリア取付け片２２ａとレインバリア取付け片２２ｂとが形成されている。
【００１８】
他方の縦枠３Ｂも同様に、略方形断面の縦枠本体の室外側面において、その内方側にガスケット支持用リップ条溝２０ａが形成されたガラス支持部２０を備えるとともに、外方側に室外側に延在する押縁取付け片２１を備えるが、外側見込み面には前記ウインドバリア取付け片２２ａに係止されたウインドバリア２３が当接する突片２４ａと、前記レインバリア取付け片２２ｂに係止されたレインバリア２５が当接する突片２４ｂとが形成されている。
【００１９】
前記押縁取付け片２１，２１には、それぞれ縦押縁６Ａ、６Ｂが取り付けられ、前記ガラス支持部２０とによりガラス嵌合溝Ｍが形成され、ガスケット支持用リップ条溝２０ａに嵌着されたガスケット３０と、ガラスＧを挟んで室外側に配設されたバックアップ材３３，シーリング材３４とによりガラスＧ、Ｇが挟み付けられるように支持されている。なお、前記縦枠３Ａ、３ＢはパネルユニットＵ、Ｕが隣接配置された状態では左右対の関係で組み合わされる。
【００２０】
一方、前記パネルユニットＵを構成する上・下横枠４Ａ、４Ｂの内、一方の上横枠４Ａは図４に示されるように、断面略方形状の横枠本体の室外側面にガスケット支持用リップ条溝３１ａが形成されたガラス支持部３１を備え、かつ室外側に延在して下方側に向けてガラス嵌合溝Ｍを形成するように押縁取付け用延在片２８が形成されるとともに、この押縁取付け用延在片２８に横押縁７Ａが取付けられ、ガスケット支持用リップ条溝３１ａに嵌着されたガスケット３０と、ガラスＧを挟んで室外側に配設されたバックアップ材３３，シーリング材３４とによりガラスＧ、Ｇが挟み付けられるように支持されている。
【００２１】
また、他方の下横枠４Ｂは、断面略方形状の横枠本体の室外側面にガスケット支持用リップ条溝３７ａが形成されたガラス支持部３７を備え、かつ室外側に延在して上方側に向けてガラス嵌合溝Ｍを形成するために押縁取付け用延在片３２が形成されるとともに、この押縁取付け用延在片３２に横押縁７Ｂが取付けられ、ガスケット支持用リップ条溝３７ａに嵌着されたガスケット３０と、ガラスＧを挟んで室外側に配設されたバックアップ材３３，シーリング材３４とによりガラスＧ、Ｇが挟み付けられるように支持されている。なお、前記上横枠４Ａ、下横枠４Ｂは、パネルユニットＵ、Ｕが隣接配置された状態では上下対の関係で組み合わされる。
【００２２】
他方、中間横枠５は、図３に示されるように、単一中空断面の横枠本体の室外側面において、その上部側にガスケット支持用リップ条溝６０ａが形成されたガラス支持部６０を備えるとともに、横枠本体の室外面下部側にガスケット支持用リップ条溝６１ａが形成されたガラス支持部６１を備え、これらのガラス支持部６０、６１の中間に、上下段配置でそれぞれ上側ガラス用押縁取付け片３５と、下側ガラス用押縁取付け片３６とが設けられ、前記上側ガラス用押縁取付け片３５に取り付けられた横押縁８Ａによって上側ガラス嵌合溝ＭＵが形成されるとともに、前記下側ガラス用押縁取付け片３６に取り付けられた横押縁８Ｂによって下側ガラス嵌合溝ＭＬが形成されている。ガラスＧ、Ｇは、ガスケット支持用リップ条溝６０ａ、６１ａに嵌着されたガスケット３０，３０と、室外側に配設されたバックアップ材３３，シーリング材３４とにより挟み付けられるように支持されている。
【００２３】
以上、分割方立１３Ａ、１３Ｂを含みながら構成されたパネルユニットＵは、躯体（床）に固定された方立支持金具に対して順に取り付けられる。前記方立支持金具は、図８および図９に示されるように、躯体Ｆの端部にアンカー金具５０が埋設固定されるとともに、このアンカー金具５０に頭部が嵌合支持され、かつネジ部を外部に突出させて設けられた固定用ボルト５１およびナット５１Ａによってファスナー５２が固定された構造のもので、前記分割方立１３の上部側に取付け金具５３をボルト５４，５４によって固定しておき、図示しないクレーン設備等によって前記パネルユニットＵを取付け位置まで吊り運搬したならば、前記取付け金具５３とファスナー５２との間にライナー金具５５を介在させた状態で固定用ボルト５６およびナット５６Ａによって締結し固定する。なお、前記取付け金具５３の上部にはボルト保持用筒５３ａが一体的に設けられ、かつこのボルト保持用筒５３ａに螺入された上下方向調整ボルト５７の先端が前記ライナー金具５５より延在する上部フランジ片５５ａの水平面に当接することにより据え付け時に分割方立１３の鉛直方向の建付けが調整されるようになっている。前記カーテンウォール支持部は、各フロア毎に設けられ、相対的に下段側の方立１３の頭部に下半部が嵌合され、ボルト５４によって固定された接合用部材５８の上部が上段側方立１３の中空部に挿入されることによって方立１３の連続性が確保されるようになっている。なお、前記ボルト保持用筒５３ａの内面に雌ネジを設け、上下方向調整ボルト５７を螺入してもよい。
【００２４】
前記パネルユニットＵ、Ｕ…を上下左右に隣接配置した状態において、水平方向に隣接するパネルユニットＵ間では、図２に示されるように、隣接する縦枠３Ａ、３Ｂ間においてレインバリア２５，ウインドバリア２３によって気水密性が確保されるようになっているとともに、上下方向に隣接するパネルユニットＵ、Ｕ間では、図４に示されるように、上枠は室内側寄り位置に部材長手方向に沿ってシールパッキン４２を有する起立壁４０を有し、上段側に設置されたパネルユニットＵの下枠４Ｂから垂下する垂下片４１が前記シールパッキン４２に接触することにより気水密性が確保されるようになっている。
【００２５】
一方、各パネルユニットＵ，Ｕ…の隅部が交合する目地交点部においては、図４に示されるように、隣接する上・下横枠４Ａ、４Ｂ間においては、上横枠４Ａの上面側に気密バリヤ３９を一体的に備えるレインバリア３８が配設され、このレインバリア３８の舌片が下横枠４Ｂの下面に接触することにより、およびこれの室内側位置において、さらに気密バリヤ４６，４６…を一体的に備えるウインドバリア２９を設けることにより、目地交点部から雨水等が浸入するのを確実に防止するようになっている。前記レインバリア３８、ウインドバリア２９は水平方向に隣接するパネルユニットＵ、Ｕの上横枠４Ａ、４Ａ間に跨って所定の区間長に亘って配設されている。
【００２６】
ところで、前記ガラスＧの支持部構造に係り、本例ではガラス嵌合溝Ｍ内に嵌め込まれたガラスＧは、ガラスＧの周囲に沿って室内側に配設されたガスケット３０と、室外側に配設されたバックアップ材３３、シーリング材３４とにより支持されている。
【００２７】
前記ガスケット３０は、背面側に一体的に設けられた取付け脚部３０ａを前記ガスケット支持用リップ条溝２０ａ、３１ａ、３７ａ…（以下、単にリップ条溝という。）に嵌着して取り付けるようにするが、たとえば図５に示されるように、下横枠４Ｂと縦枠３Ａとの交差部においては、下横枠４Ｂのリップ条溝３７ａと、縦枠３Ａのリップ条溝２０ａとが不連続となる。通常は、前記下横枠４Ｂのリップ条溝３７ａの側壁の一部を切り欠いてリップ条溝をＬ字状に連続させるようにしているが、本例ではリップ条溝３７ａの側壁を切り欠くことなく横方向のリップ条溝３７ａと、縦方向のリップ条溝２０ａとを不連続のままとし、このリップ条溝３７ａ、２０ａの交差部にコーナー部ガスケット６２を配設するようにする。
【００２８】
前記コーナー部ガスケット６２は、詳細には図６に示されるように、平面視でＬ字状を成す小片部材で、背面側にはそれぞれの辺方向に沿ってそれぞれ取付け脚６２ａを備えるが、図６(D)の背面図に示されるように、リップ条溝３７ａ、２０ａが不連続とされる前記下横枠４Ｂと縦枠３Ａとの交差部に嵌着可能とするため、リップ条溝３７ａ、２０ａの不連続部に対応する取付け脚部分が切り落とされている。この場合、コーナー部ガスケット６２をいずれのコーナー部に対しても使用可能とするため、枠材形状に合わせて縦枠方向、横枠方向共に、コーナー端部から略同じ長さでガスケット６２の取付け脚部６２ａを切り落とすのが好ましい。一例を示せば、同図に示すように、縦枠３Ａ方向の内側線を伸ばした仮想線６３ａと、横枠方向の内側線を伸ばした仮想線６３ｂで区画される端部側領域Ｓの取付け脚部分６２ａが切り落とすようにする。なお、前記コーナー部ガスケット６２における取付け脚６２ａの切り落とし部分は、少なくとも前記リップ条溝のコーナー部に嵌め込むのに障害となる一方側の側壁部、図示例では縦方向のリップ条溝２０ａが突き合う横方向リップ条溝３７ａの側壁部分に対応するガスケット６２の取付け脚部分が切り落とされていれば足りる。
【００２９】
図７に示されるように、前記コーナー部ガスケット６２を縦枠３Ａのリップ条溝２０ａおよび下横枠４Ｂのリップ条溝３７ａとに跨って配設したならば、このコーナー部ガスケット６２の端面に連続して直線部ガスケット６４，６５を夫々配設し、ガスケット３０をガラス周りに連続させるようにする。
【００３０】
【発明の効果】
以上詳説のとおり発明によれば、縦枠の条溝と横枠の条溝との交差部において、条溝を不連続としたままガスケットの取付けが可能になるため、縦枠または横枠の一方を直線的な切断をすることのみで構成でき、従来のようにガスケットの取り付けのために一方側の条溝側壁にわざわざ切欠きを設ける加工手間が不要になるため加工が簡略化されるとともに、加工誤差による溝位置合わせの調整が不要になるためガスケットの取付け脚部を条溝へ嵌め込むのも容易に行えるようになる。さらにガスケットを屈曲させながら配設する必要が無くなりガスケットの断面形状によらず設置可能となる。
【００３１】
また、コーナー部ガスケットについて、縦枠方向および横枠方向共に、コーナー端部から略同じ長さでガスケットの取付け脚部分を切り落とすようにし、いずれのコーナー部においても供用可能とすれば、取付けの際の煩雑さが解消され作業性が向上するようになる。
【図面の簡単な説明】
【図１】ユニット式カーテンウォールの正面図である。
【図２】図１のII−II線矢視図である。
【図３】図１のIII−III線矢視図である。
【図４】図１のIV−IV線矢視図である。
【図５】縦枠と横枠との交差部を示す斜視図である。
【図６】コーナー部ガスケット６２を示す、(A)は平面図、(B)は上面図、(C)は右側面図、(D)は背面図である。
【図７】コーナー部ガスケット６２および直線部ガスケット６４，６５の取付け状態を示す縦枠・横枠交差部の斜視図である。
【図８】方立支持部を示す平面図である。
【図９】その側面図である。
【図１０】従来のパネル支持部構造を示す横断面図である。
【図１１】その縦枠および横枠の交差部を示す斜視図である。
【符号の説明】
３Ａ・３Ｂ…縦枠、４Ａ…上枠、４Ｂ…下枠、５…中間横枠、６Ａ・６Ｂ…縦押縁、７Ａ・７Ｂ…横押縁、２０ａ・３１ａ・３７ａ・６０ａ・６１ａ…ガスケット支持用リップ条溝、３０…ガスケット、３０ａ…取付け脚部、３３…バックアップ材、３４…シーリング材、６２…コーナー部ガスケット、６４・６５…直線部ガスケット、Ｍ…ガラス嵌合溝、Ｇ…ガラス
【図１】
0003815713.tif 000002
【図２】
0003815713.tif 000003
【図３】
0003815713.tif 000004
【図４】
0003815713.tif 000005
【図５】
0003815713.tif 000006
【図６】
0003815713.tif 000007
【図７】
0003815713.tif 000008
【図８】
0003815713.tif 000009
【図９】
0003815713.tif 000010
【図１０】
0003815713.tif 000011
【図１１】
0003815713.tif 000012